(57)【要約】【課題】施工ミスが生じた場合にも、槽体に対する栓蓋の良好な密着性を得られる排水栓装置を提供する。【解決手段】槽体の排水口部及び排水口部の下方の配管に挿通され、配管の内周面に設けられた雌ねじ部に螺合可能な雄ねじ部を外周面に有し、雌ねじ部に雄ねじ部を螺合させ、配管との間で槽体を挟み込むことにより、槽体に配管を接続する筒状の排水口部材と、排水口部に設けられる栓蓋を上下動可能に支持する支持機構と、支持機構を保持するアタッチメント部材と、を備え、アタッチメント部材は、支持機構を直接又は間接的に保持する保持部と、配管内において排水口部材よりも下方に取り付けられ、保持部を支持する支持部と、を有し、支持部は、配管の内部に設けられた内方に突出する載置部に載置されるとともに、配管の内周面に圧入されることにより、配管内に取り付けられることを特徴とする排水栓装置である。【選択図】図２
2017172151.tif 000002
【特許請求の範囲】
【請求項１】
槽体の排水口部に取り付けられるとともに、前記排水口部の下方に配置された配管に接続される排水栓装置であって、
前記排水口部及び前記配管に挿通され、前記配管の内周面に設けられた雌ねじ部に螺合可能な雄ねじ部を外周面に有し、前記雌ねじ部に前記雄ねじ部を螺合させ、前記配管との間で前記槽体を挟み込むことにより、前記槽体に前記配管を接続する筒状の排水口部材と、
前記排水口部に設けられる栓蓋を上下動可能に支持する支持機構と、
前記支持機構を保持するアタッチメント部材と、
を備え、
前記アタッチメント部材は、
前記支持機構を直接又は間接的に保持する保持部と、
前記配管の内部に設けられた内方に突出する載置部に載置されるとともに、前記配管の内周面に圧入されることにより、前記配管内において前記排水口部材よりも下方に取り付けられ、前記保持部を支持する支持部と、
を有することを特徴とする排水栓装置。
【請求項２】
前記配管は、
前記載置部の上方に配置された第１収納空間と、
前記第１収納空間の上方に配置され、前記排水口部材を収納する第２収納空間と、
を有し、
前記支持部は、
前記配管の内周面に圧入されることなく前記載置部の上に載置され、前記第１収納空間に収納される本体部分と、
前記本体部分から下方に延び、前記第１収納空間及び前記第２収納空間を形成する前記配管の内周面には圧入されることなく、前記配管の前記載置部よりも下方に挿通され、前記配管の前記載置部よりも下方の内周面に圧入される圧入部分と、
を有することを特徴とする請求項１記載の排水栓装置。
【請求項３】
前記圧入部分は、側面が前記配管の内周面に押圧されることで圧入されるよう構成されており、
前記圧入部分の下端面は、内方に向かって下降傾斜していることを特徴とする請求項２記載の排水栓装置。
【請求項４】
前記圧入部分は、当接部と、補強部と、を有し、
前記当接部は、前記配管の内周面の周方向に対して所定の幅を有するとともに前記配管の内周面に当接可能な側面を有し、
前記補強部は、前記周方向において前記当接部よりも広い幅を有するとともに、前記配管の内周面と間隔を空けて対向する側面を有することを特徴とする請求項２又は３に記載の排水栓装置。
【発明の詳細な説明】
【技術分野】
【０００１】
本発明の態様は、一般的に、排水栓装置に関する。
【背景技術】
【０００２】
浴槽や洗面ボウルなどの槽体の排水口部に取り付けられ、排水口部に設けられた排水口（開口）を操作部の操作に応じて開閉する遠隔操作式の排水栓装置がある。排水栓装置は、例えば、槽体の裏側（下方）に配置される配管を槽体に接続する筒状の排水口部材と、排水口部に設けられる栓蓋を上下動可能に支持する支持機構と、支持機構を保持するアタッチメント部材と、を有する。
【０００３】
排水口部材は、外周面に雄ねじ部を有し、槽体の表側から雄ねじ部を配管の内周面に設けられた雌ねじ部に螺合させ、自身と配管との間で槽体を挟み込むことにより、槽体に配管を接続する。
【０００４】
また、排水栓装置では、アタッチメント部材を配管と排水口部材との間に挟み、アタッチメント部材の上下方向の動きを規制することにより、槽体に対する栓蓋の密着性（シール性）を向上させることが知られている（例えば、特許文献１）。
【０００５】
排水口部材を配管に螺合させる際の排水口部材の締め込み量は、現場作業者に依存している。このため、排水口部材の締め込みが不十分である場合には、アタッチメント部材と排水口部材との間に隙間ができ、アタッチメント部材が上下方向に動くことが可能となって、槽体に対する栓蓋の密着性の低下を招く恐れがある。
【０００６】
従って、排水栓装置では、排水口部材の締め込み不足などの施工ミスが生じた場合においても、アタッチメント部材の上下方向の動きを抑制し、槽体に対する栓蓋の良好な密着性を得られるようにすることが望まれる。
【先行技術文献】
【特許文献】
【０００７】
【特許文献１】特開２０１２−２０２０８３号公報
【発明の概要】
【発明が解決しようとする課題】
【０００８】
本発明は、かかる課題の認識に基づいてなされたものであり、施工ミスが生じた場合にも、槽体に対する栓蓋の良好な密着性を得られる排水栓装置を提供することを目的とする。
【課題を解決するための手段】
【０００９】
第１の発明は、槽体の排水口部に取り付けられるとともに、前記排水口部の下方に配置された配管に接続される排水栓装置であって、前記排水口部及び前記配管に挿通され、前記配管の内周面に設けられた雌ねじ部に螺合可能な雄ねじ部を外周面に有し、前記雌ねじ部に前記雄ねじ部を螺合させ、前記配管との間で前記槽体を挟み込むことにより、前記槽体に前記配管を接続する筒状の排水口部材と、前記排水口部に設けられる栓蓋を上下動可能に支持する支持機構と、前記支持機構を保持するアタッチメント部材と、を備え、前記アタッチメント部材は、前記支持機構を直接又は間接的に保持する保持部と、前記配管の内部に設けられた内方に突出する載置部に載置されるとともに、前記配管の内周面に圧入されることにより、前記配管内において前記排水口部材よりも下方に取り付けられ、前記保持部を支持する支持部と、を有することを特徴とする排水栓装置である。
【００１０】
この排水栓装置によれば、支持部が、配管の内周面に圧入されるため、排水口部材の締め込みが不十分な状態で施工が完了してしまったとしても、支持部が上下へずれることを抑制することができる。これにより、支持機構を保持するアタッチメント部材が上下へずれてしまうことを抑制でき、栓蓋が排水口部を閉塞しきれなくなってしまうことを抑制することができる。従って、施工ミスが生じた場合にも、槽体に対する栓蓋の良好な密着性を得ることができる。また、アタッチメント部材を取り付ける際には、支持部を圧入させるだけでよく、アタッチメント部材の取り付け作業性を向上させることもできる。
【００１１】
第２の発明は、第１の発明において、前記配管は、前記載置部の上方に配置された第１収納空間と、前記第１収納空間の上方に配置され、前記排水口部材を収納する第２収納空間と、を有し、前記支持部は、前記配管の内周面に圧入されることなく前記載置部の上に載置され、前記第１収納空間に収納される本体部分と、前記本体部分から下方に延び、前記第１収納空間及び前記第２収納空間を形成する前記配管の内周面には圧入されることなく、前記配管の前記載置部よりも下方に挿通され、前記配管の前記載置部よりも下方の内周面に圧入される圧入部分と、を有することを特徴とする排水栓装置である。
【００１２】
この排水栓装置によれば、圧入部分のみを圧入させればよいため、本体部分及び圧入部分の全体を圧入させる場合に比べて、圧入させる際に必要となる力を低減させることができる。また、支持部を上方から配管内に挿入する際に、圧入部分が載置部よりも上方において圧入されることがないため、支持部を配管内下方にスムーズに移動させることができる。従って、アタッチメント部材の取り付け作業性をより向上させることができる。
【００１３】
第３の発明は、第２の発明において、前記圧入部分は、側面が前記配管の内周面に押圧されることで圧入されるよう構成されており、前記圧入部分の下端面は、内方に向かって下降傾斜していることを特徴とする排水栓装置である。
【００１４】
この排水栓装置によれば、圧入部分の下端面が内方に向かって下降傾斜しているため、載置部より下方の内周面に圧入部分を押し込んで圧入させる際に、圧入部分の下端面と載置部の内方コーナー部との接触により、圧入部分を内方へ変形させ易くすることができる。従って、圧入部分をより圧入させ易くすることができ、アタッチメント部材の取り付け作業性をより向上させることができる。
【００１５】
第４の発明は、第２又は第３の発明において、前記圧入部分は、当接部と、補強部と、を有し、前記当接部は、前記配管の内周面の周方向に対して所定の幅を有するとともに前記配管の内周面に当接可能な側面を有し、前記補強部は、前記周方向において前記当接部よりも広い幅を有するとともに、前記配管の内周面と間隔を空けて対向する側面を有することを特徴とする排水栓装置である。
【００１６】
この排水栓装置によれば、当接部の側面のみが配管の内周面に当接するため、配管の内周面との接触面積を低減させることができ、圧入する際に必要となる力を低減させることができる。また、当接部の側面が配管の内周面に押圧されている場合であっても、当接部が補強部によって補強されているため、過度の変形を抑制し、より確実に圧入状態を維持することができる。従って、アタッチメント部材の取り付け作業性をより向上させつつ、圧入状態を維持させ易くすることができる。
【発明の効果】
【００１７】
本発明の態様によれば、施工ミスが生じた場合にも、槽体に対する栓蓋の良好な密着性を得られる排水栓装置が提供される。
【図面の簡単な説明】
【００１８】
【図１】実施形態に係る排水栓装置を表す断面図である。
【図２】実施形態に係る排水栓部を拡大して表す断面図である。
【図３】実施形態に係る配管及び排水口部材を表す断面図である。
【図４】実施形態に係る配管を表す斜視断面図である。
【図５】実施形態に係る支持機構及びアタッチメント部材を表す斜視図である。
【図６】実施形態に係る保持部を表す斜視図である。
【図７】図７（ａ）及び図７（ｂ）は、実施形態に係る支持部を表す斜視図である。
【図８】図８（ａ）及び図８（ｂ）は、実施形態に係る支持部及び配管を表す平面図である。
【発明を実施するための形態】
【００１９】
以下、実施形態について図面を参照しつつ説明する。なお、各図面中、同様の構成要素には同一の符号を付して詳細な説明は適宜省略する。  
図１は、実施形態に係る排水栓装置を表す断面図である。  
図１に表したように、排水栓装置１０は、排水栓部１２と、操作部１４と、レリースワイヤ１６と、を備える。
【００２０】
排水栓部１２は、浴槽１００（槽体）に設けられた排水口部１０２に取り付けられるとともに、排水口部１０２の下方に配置された配管２００に接続される。排水口部１０２は、例えば、浴槽１００の底部に設けられ、浴槽１００の底部から下方に凹んだ部分である。排水口部１０２は、排水口１０２ａ（開口）を有する。排水口１０２ａは、例えば、排水口部１０２の底部に設けられる。排水口部１０２は、浴槽１００に溜められた水を排水口１０２ａを介して外部に排出可能とする。操作部１４は、浴槽１００のリム面１０４に設けられた貫通孔１０６に取り付けられる。操作部１４は、使用者の操作を受ける。レリースワイヤ１６は、操作部１４の操作にともなう操作力を排水栓部１２に伝達する。
【００２１】
排水栓部１２は、操作部１４及びレリースワイヤ１６を介して入力された操作力に応じて排水口部１０２（排水口１０２ａ）を開閉する。すなわち、排水栓部１２は、使用者による操作部１４の操作に応じて排水口部１０２を開閉する。
【００２２】
排水栓部１２で排水口部１０２を閉塞することにより、浴槽１００内に水を溜めることができる。そして、操作部１４を操作し、排水口部１０２を開放することにより、浴槽１００に溜められた水を浴槽１００の外部に排出することができる。例えば、排水口部１０２を開放することにより、浴槽１００に溜められた水が、排水口部１０２及び配管２００を介して排水管などに排出される。排水栓装置１０は、いわゆる遠隔操作式の排水栓装置である。
【００２３】
排水栓装置１０は、浴槽１００に限ることなく、洗面ボウルなどに用いてもよい。排水栓装置１０は、例えば、水などの液体を溜めることができる凹状の槽本体と、槽本体の底部に設けられた排水口部と、を有する任意の槽体に適用することができる。
【００２４】
排水栓装置１０を洗面ボウルに用いる場合、操作部１４は、例えば、洗面ボウルの上面に取り付けられる。操作部１４は、例えば、洗面ボウルのバックガードや洗面ボウルの周囲のカウンター面などに取り付けてもよいし、水栓金具などに取り付けてもよい。このように、操作部１４は、槽体に取り付けてもよいし、槽体の周囲に取り付けてもよい。操作部１４の取付位置は、使用者による操作が可能な任意の位置でよい。
【００２５】
操作部１４は、筒状のケース１４ａと、ケース１４ａ内において第１位置と第２位置とに移動する可動部１４ｂと、可動部１４ｂを第１位置又は第２位置に保持するラッチ機構１４ｃと、を有する。第１位置は、例えば、図１に表した位置である。第２位置は、例えば、第１位置よりもケース１４ａ内に押し込められた位置である。
【００２６】
ラッチ機構１４ｃは、可動部１４ｂを第１位置に保持した状態において、使用者の押圧操作により、可動部１４ｂが第１位置から第２位置に移動した際に、可動部１４ｂを第２位置に保持する。そして、ラッチ機構１４ｃは、可動部１４ｂを第２位置に保持した状態において、可動部１４ｂが再び押圧操作された際に、第２位置における可動部１４ｂの保持を解除し、可動部１４ｂを第２位置から第１位置に復帰させ、可動部１４ｂを再び第１位置に保持する。排水栓部１２は、可動部１４ｂが第１位置にある時に、排水口部１０２を閉塞し、可動部１４ｂが第２位置にある時に、排水口部１０２を開放する。
【００２７】
この例において、操作部１４は、使用者の押圧操作を受ける押しボタン方式の操作部である。操作部１４は、これに限ることなく、例えば、回転操作を受ける回転ハンドル方式の操作部やスライド操作を受けるスライドレバー方式の操作部などでもよい。操作部１４は、使用者の任意の操作を受けることができる任意の構成でよい。
【００２８】
レリースワイヤ１６は、排水栓部１２と操作部１４とを接続するホース１８内に挿通されている。レリースワイヤ１６は、例えば、アウターチューブと、アウターチューブに挿通されたインナーワイヤと、を有する。インナーワイヤの一端は、操作部１４の可動部１４ｂに接続されている。インナーワイヤの他端は、排水栓部１２に接続されている。レリースワイヤ１６は、操作部１４の操作に応じてインナーワイヤを進退させることにより、操作力を排水栓部１２に伝達する。操作部１４から排水栓部１２に操作力を伝達する伝達機構は、レリースワイヤ１６に限ることなく、操作力を伝達可能な任意の機構でよい。
【００２９】
図２は、実施形態に係る排水栓部を拡大して表す断面図である。  
図２に表したように、排水栓部１２は、栓蓋２０と、排水口部材２２と、支持機構２４と、アタッチメント部材２６と、を有する。栓蓋２０は、浴槽１００の排水口部１０２に上方（浴槽内側）から取り付けられ、上方から排水口部１０２を塞ぐ。排水口部１０２を上方から見た形状は、略円形である。排水口１０２ａは、例えば、略円形の貫通孔状である。栓蓋２０は、排水口部１０２及び排水口１０２ａの形状に対応した断面略円形の栓である。排水口部１０２の断面形状は、円形に限ることなく、例えば楕円形や多角形などの任意の形状でよい。栓蓋２０の形状は、上方から排水口部１０２を閉塞可能な任意の形状でよい。
【００３０】
排水口部材２２は、排水口部１０２の排水口１０２ａ及び配管２００に挿通され、浴槽１００に配管２００を接続する。支持機構２４は、栓蓋２０を上下動可能に支持する。アタッチメント部材２６は、配管２００内に取り付けられ、支持機構２４を保持する。支持機構２４は、アタッチメント部材２６を介して配管２００内に取り付けられる。
【００３１】
支持機構２４は、ケース２４ａと、支持軸２４ｂと、を有する。ケース２４ａは、筒状である。ケース２４ａは、軸を上下方向に向けた状態で配管２００内に取り付けられる。支持軸２４ｂは、ケース２４ａ内に挿通され、ケース２４ａの軸方向に沿って移動可能にケース２４ａに保持される。支持軸２４ｂは、ケース２４ａが配管２００内に保持された状態において、上下方向に移動する。
【００３２】
支持軸２４ｂの上端は、ケース２４ａの上端よりも上方に突出する。栓蓋２０は、支持軸２４ｂの上端に取り付けられる。支持機構２４は、支持軸２４ｂの上端において栓蓋２０を支持する。
【００３３】
一方、支持軸２４ｂの下端は、ケース２４ａ内においてレリースワイヤ１６に接続される。配管２００は、貫通孔２０２を有する。貫通孔２０２は、配管２００において排水栓部１２よりも下方に設けられる。レリースワイヤ１６は、貫通孔２０２を介して配管２００内に挿通され、支持機構２４と接続される。また、貫通孔２０２は、例えば、ホース１８などによって塞がれる。これにより、貫通孔２０２からの水漏れが抑制される。
【００３４】
操作部１４の可動部１４ｂが第１位置にある場合、支持軸２４ｂは、図２に表したように、栓蓋２０が排水口部１０２を塞いだ位置に保持される。操作部１４の可動部１４ｂが第１位置から第２位置に移動すると、レリースワイヤ１６のインナーワイヤが、可動部１４ｂの移動量に応じて排水栓部１２側に送り込まれる。従って、可動部１４ｂが第２位置に移動すると、支持機構２４の支持軸２４ｂが、図２に表した状態よりもケース２４ａから突出する。これにより、操作部１４の可動部１４ｂが第２位置にある場合には、栓蓋２０が、支持軸２４ｂの移動にともなって上方に移動し、排水口部１０２を開放させる。
【００３５】
このように、支持機構２４は、操作部１４の操作に応じて支持軸２４ｂを移動させることにより、排水口部１０２を閉塞する閉塞位置と、閉塞位置よりも上方に移動して排水口部１０２を開放する開放位置と、に栓蓋２０を移動させる。
【００３６】
図３は、実施形態に係る配管及び排水口部材を表す断面図である。  
図４は、実施形態に係る配管を表す斜視断面図である。  
図３及び図４に表したように、配管２００は、浴槽１００と接続された状態において、排水口部１０２から下方に向かって延びる第１管部２１１と、第１管部２１１と直交する方向に延びる第２管部２１２と、を有する。すなわち、この例において、配管２００は、略Ｌ字状に屈曲した管である。配管２００は、Ｌ字状に限ることなく、少なくとも排水口部１０２から下方に向かって延びる部分を有する任意の形状でよい。例えば、排水栓装置１０を洗面ボウルに用いる場合、配管２００は、排水口部から下方に向かって延びる部分と、略Ｓ字状に屈曲して排水トラップを形成する部分と、を有する管でもよい。
【００３７】
第１管部２１１の開口端２１１ａの形状は、排水口１０２ａの形状と実質的に同じである。第１管部２１１及び第２管部２１２は、例えば、断面略円形の管である。第１管部２１１の内周面には、雌ねじ部２１４が設けられている。雌ねじ部２１４は、開口端２１１ａに隣接して設けられる。第１管部２１１において、雌ねじ部２１４の設けられた部分の内周面の断面形状は、略円形である。配管２００の雌ねじ部２１４以外の部分の内周面の断面形状は、必ずしも円形でなくてもよい。配管２００の雌ねじ部２１４以外の部分の内周面の断面形状は、例えば、楕円形状や多角形状などでもよい。
【００３８】
第１管部２１１は、載置部２２０と、第１収納空間２２１と、第２収納空間２２２と、を有する。載置部２２０は、配管２００内に設けられ、配管２００の内方に突出する。載置部２２０には、アタッチメント部材２６の一部が載置される。アタッチメント部材２６は、載置部２２０の上に載置されることにより、配管２００内に取り付けられる。換言すれば、載置部２２０は、配管２００内におけるアタッチメント部材２６の下方への移動を規制する。アタッチメント部材２６は、載置部２２０に直接的に接して載置されてもよいし、他の部材などを介して間接的に接して載置されてもよい。
【００３９】
この例において、載置部２２０は、第１管部２１１の開口端２１１ａよりも内径を小さくした部分である。載置部２２０は、配管２００内において段差状に形成されている。この例において、載置部２２０は、配管２００の内周に沿う環状の面（載置面）である。載置部２２０の形状は、上記に限ることなく、例えば、突起状に形成してもよい。例えば、複数の突起状の載置部を配管２００の軸周りに所定の間隔で設けてもよい。載置部２２０の形状は、アタッチメント部材２６の一部を載置可能な任意の形状でよい。
【００４０】
第１収納空間２２１は、載置部２２０の上方に配置される。第１収納空間２２１は、載置部２２０に隣接する。第１収納空間２２１は、アタッチメント部材２６の一部を収納する。第２収納空間２２２は、第１収納空間２２１の上方に配置される。第２収納空間２２２は、排水口部材２２を収納する。第２収納空間２２２は、第１収納空間２２１に隣接するとともに、第１管部２１１の開口端２１１ａに隣接する。雌ねじ部２１４は、第２収納空間２２２を形成する配管２００の内周面に設けられる。
【００４１】
排水口部材２２は、略円筒状の筒部２２ａと、筒部２２ａの上端に設けられたフランジ部２２ｂと、を有する。フランジ部２２ｂは、筒部２２ａの上端から外方に向かって延びる。筒部２２ａの外径は、排水口１０２ａの開口径及び第１管部２１１の内径と実質的に同じである。一方、フランジ部２２ｂの外径は、排水口１０２ａの開口径及び第１管部２１１の内径よりも大きい。
【００４２】
また、筒部２２ａの外周面には、雄ねじ部２２ｃが設けられている。雄ねじ部２２ｃは、配管２００の雌ねじ部２１４に対応して形成され、雌ねじ部２１４に螺合する（噛み合う）。これにより、排水口部材２２の筒部２２ａが、配管２００の第２収納空間２２２に収納される。
【００４３】
排水口部材２２は、筒部２２ａを上方から排水口１０２ａ及び配管２００に挿通し、配管２００の雌ねじ部２１４に雄ねじ部２２ｃを螺合させ、フランジ部２２ｂと配管２００との間で浴槽１００を挟み込む（図２参照）。これにより、排水口部材２２は、浴槽１００に配管２００を接続する。排水口部材２２は、例えば、締付フランジと呼ばれる場合もある。
【００４４】
図５は、実施形態に係る支持機構及びアタッチメント部材を表す斜視図である。  
図５に表したように、アタッチメント部材２６は、保持部３０と、支持部４０と、を有する。保持部３０は、支持機構２４を保持する。この例において、保持部３０は、支持機構２４を直接的に保持している。保持部３０は、例えば、他の部材などを介して間接的に支持機構２４を保持してもよい。
【００４５】
支持部４０は、配管２００内において排水口部材２２よりも下方に取り付けられ、保持部３０を支持する（図２参照）。支持部４０は、載置部２２０に載置されるとともに、配管２００の内周面に圧入されることにより、配管２００内に取り付けられる。支持部４０は、載置部２２０の上に載置されることにより、配管２００内におけるアタッチメント部材２６の下方への移動を規制する。そして、支持部４０は、配管２００の内周面に圧入されることにより、配管２００内におけるアタッチメント部材２６の上方への移動を抑制する。すなわち、支持部４０は、アタッチメント部材２６を配管２００内の所定の位置に位置決めする。
【００４６】
このように、アタッチメント部材２６は、支持部４０において載置部２２０の上に載置される。配管２００の第１収納空間２２１は、アタッチメント部材２６の支持部４０を収納する。アタッチメント部材２６は、支持部４０を介して配管２００内に取り付けられることにより、支持機構２４及び保持部３０を配管２００内の所定の位置に配置する。
【００４７】
図６は、実施形態に係る保持部を表す斜視図である。  
図５及び図６に表したように、保持部３０は、支持機構２４を収納する筒部３２と、筒部３２を支持部４０に接続するための複数の脚部３４と、を有する。
【００４８】
筒部３２は、筒体の両端面を開放させるとともに、筒体の側面を両端面に亘って切り欠いた側方開口部３２ａを有する。保持部３０は、弾性を有する。保持部３０には、例えば、ポリプロピレンなどの樹脂材料が用いられる。これにより、保持部３０では、側方開口部３２ａを広げるように一時的に筒部３２を変形させることができる。
【００４９】
筒部３２の下端には、側方開口部３２ａを挟んで対向するように配置された一対のリブ３２ｂが設けられている。各リブ３２ｂは、筒部３２の内方に向かって突出する。支持機構２４のケース２４ａには、溝２４ｃが設けられている。溝２４ｃは、ケース２４ａの下端付近に設けられ、ケース２４ａの側面から内方に向かって凹んだ凹形状に形成されている。溝２４ｃの形状は、各リブ３２ｂの形状に対応している。
【００５０】
支持機構２４を保持部３０に保持させる場合には、支持機構２４を側方開口部３２ａに対して水平方向に押し当て、筒部３２を弾性変形させることにより、側方開口部３２ａを押し広げる。そして、広がった側方開口部３２ａから筒部３２内に支持機構２４を挿入する。この際、各リブ３２ｂを溝２４ｃに嵌め込む。これにより、支持機構２４が筒部３２内に挿入されるとともに、各リブ３２ｂと溝２４ｃとの係合により、支持機構２４の上下動が規制される。換言すれば、各リブ３２ｂと溝２４ｃとの係合により、筒部３２の軸方向の両端からの支持機構２４の抜けが抑制される。これにより、支持機構２４が、保持部３０に保持される。
【００５１】
各脚部３４は、筒部３２の下端付近から外方向かって延びるとともに、下方に向かって延びる。各脚部３４の下端は、筒部３２の下端よりも下方に位置する。また、各脚部３４の下端には、外方に向かって延びる係合爪３４ａが設けられている。
【００５２】
各脚部３４は、例えば、筒部３２の軸周りに等間隔に配置される。この例において、保持部３０は、３つの脚部３４を有する。３つの脚部３４は、筒部３２の軸周りに１２０°おきに配置される。脚部３４の数は、３つに限ることなく、２つでもよいし、４つ以上でもよい。
【００５３】
図７（ａ）及び図７（ｂ）は、実施形態に係る支持部を表す斜視図である。  
図７（ａ）及び図７（ｂ）に表したように、支持部４０は、本体部分４１と、圧入部分４２と、を有する。本体部分４１は、配管２００の内周面に圧入されることなく、載置部２２０の上に載置される。配管２００の第１収納空間２２１は、支持部４０のうち、本体部分４１を収納する（図２参照）。
【００５４】
本体部分４１は、筒状である。この例において、本体部分４１は、配管２００の第１管部２１１の内周面に沿う円筒状である。本体部分４１の内周面には、保持部３０の各脚部３４の係合爪３４ａと係合する複数の係合溝４１ａが設けられている。この例において、本体部分４１は、３つの脚部３４のそれぞれの係合爪３４ａに対応する３つの係合溝４１ａを有する。支持部４０は、各係合爪３４ａと各係合溝４１ａとの係合により、保持部３０を支持する。
【００５５】
圧入部分４２は、本体部分４１から下方に延び、配管２００の載置部２２０よりも下方に挿通され、配管２００の載置部２２０よりも下方の内周面２２４（図３、図４参照）に圧入される。また、圧入部分４２は、第１収納空間２２１及び第２収納空間２２２を形成する配管２００の内周面には圧入されない。ここで、「圧入」とは、例えば、支持部４０を載置部２２０の上に載置しただけの状態では、圧入部分４２が載置部２２０よりも下方に入り込まず、支持部４０を載置部２２０の上に載置した後、支持部４０に対して下方に力を加えることにより、圧入部分４２が載置部２２０よりも下方に入り込むことをいう。圧入部分４２は、支持部４０の自重のみでは配管２００の載置部２２０よりも下方に入り込まない。
【００５６】
圧入部分４２は、当接部４３と、補強部４４と、を有する。当接部４３は、圧入部分４２において、配管２００の内周面２２４に当接する部分である。当接部４３は、本体部分４１の軸方向に沿って延びるリブ状である。当接部４３は、配管２００の内周面２２４の周方向に対して所定の幅を有する側面４３ａを有する。側面４３ａは、配管２００の内周面２２４に当接可能である。当接部４３は、側面４３ａを配管２００の内周面２２４に当接させる。当接部４３は、内周面２２４に直接的に当接してもよいし、他の部材などを介して間接的に当接してもよい。圧入部分４２は、複数の当接部４３を有する。各当接部４３は、例えば、本体部分４１の軸周りに等間隔に配置される。
【００５７】
当接部４３の側面４３ａは、例えば、略垂直な面である。側面４３ａは、例えば、内方に向かって下降傾斜させ、圧入部分４２を載置部２２０よりも下方の配管２００に挿通していく際に、圧入に必要となる力が徐々に強くなるようにしてもよい。
【００５８】
補強部４４は、配管２００の内周面２２４の周方向において当接部４３よりも広い幅を有する。補強部４４は、周方向において当接部４３の側面４３ａよりも広い幅を有する側面４４ａを有する。側面４４ａは、配管２００の内周面２２４と間隔を空けて対向する。すなわち、補強部４４は、側面４４ａを配管２００の内周面２２４に当接させない。この例において、補強部４４は、各当接部４３の間を接続する筒状である。補強部４４は、配管２００の載置部２２０よりも下方の部分の内径よりも小さい外径を有する円筒状である。各当接部４３は、換言すれば、筒状の補強部４４の側面４４ａから外方に突出し、配管２００の内周面２２４に接触する部分である。
【００５９】
圧入部分４２は、各当接部４３の側面４３ａが配管２００の内周面２２４に押圧されることで圧入されるよう構成されている。圧入部分４２の下端面は、内方に向かって下降傾斜している。圧入部分４２の下端面は、下方に向かって窄まるように傾斜している。この例においては、圧入部分４２の下端面は、各当接部４３の下端面４３ｂと、補強部４４の下端面４４ｂと、を含む。この例では、各当接部４３の下端面４３ｂと、補強部４４の下端面４４ｂと、のそれぞれが、内方に向かって下降傾斜している。換言すれば、下端面４３ｂ及び下端面４４ｂは、下方に向かうに従って径が小さくなるように傾斜している。当接部４３の下端面４３ｂ及び補強部４４の下端面４４ｂは、例えば、連続した傾斜面を形成する。
【００６０】
図８（ａ）及び図８（ｂ）は、実施形態に係る支持部及び配管を表す平面図である。  
なお、図８（ａ）では、支持部４０を下方から見た状態を表し、図８（ｂ）では、配管２００を上方から見た状態を表している。  
図８（ａ）及び図８（ｂ）に表したように、支持部４０の本体部分４１の直径Ｄ１１（外径）は、配管２００の第１収納空間２２１の内周面の直径Ｄ２１（内径）よりも小さい。また、本体部分４１の直径Ｄ１１は、配管２００の載置部２２０よりも下方の内周面２２４の直径Ｄ２２（内径）よりも大きい。直径は、換言すれば、最大の幅である。本体部分４１の最大の幅は、第１収納空間２２１の最大の幅よりも小さく、載置部２２０よりも下方の内周面２２４の最大の幅よりも大きい。これにより、本体部分４１は、第１収納空間２２１を形成する配管２００の内周面に圧入されることなく、載置部２２０の上に載置される。
【００６１】
支持部４０の圧入部分４２において、各当接部４３の側面４３ａのそれぞれに外接する外接円の直径Ｄ１２は、配管２００の第１収納空間２２１の内周面の直径Ｄ２１よりも小さい。外接円の直径Ｄ１２は、配管２００の第２収納空間２２２の内周面の直径よりも小さい。そして、外接円の直径Ｄ１２は、配管２００の載置部２２０よりも下方の内周面２２４の直径Ｄ２２よりも僅かに大きい。これにより、圧入部分４２は、第１収納空間２２１及び第２収納空間２２２を形成する配管２００の内周面には圧入されることなく、載置部２２０よりも下方の内周面２２４に圧入される。圧入部分４２は、各当接部４３の側面４３ａが配管２００の内周面２２４に押圧されることで、配管２００内に圧入される。
【００６２】
外接円の直径Ｄ１２と内周面２２４の直径Ｄ２２との差（Ｄ１２−Ｄ２２）は、例えば、０．１ｍｍ以上１．５ｍｍ以下である。これにより、圧入部分４２を配管２００内に適切に圧入させることができる。
【００６３】
支持部４０の圧入部分４２において、略円筒状の補強部４４の側面４４ａの直径Ｄ１３（外径）は、配管２００の載置部２２０よりも下方の内周面２２４の直径Ｄ２２よりも小さい。これにより、補強部４４の側面４４ａは、配管２００の内周面２２４に当接しない。補強部４４は、配管２００内に圧入されない。
【００６４】
次に、排水栓装置１０の排水栓部１２の取り付け方法について説明する。  
排水栓装置１０の排水栓部１２を浴槽１００及び配管２００に取り付ける際には、まず、配管２００を浴室内の所定の位置に設置する。支持機構２４は、予めレリースワイヤ１６の一端に接続しておく。そして、支持機構２４及びレリースワイヤ１６の一端を、貫通孔２０２を介して配管２００内に挿通する。支持機構２４を挿通した後、支持軸２４ｂを開口端２１１ａから露出させる。
【００６５】
支持機構２４を配管２００内に配置した後、アタッチメント部材２６の支持部４０のみを配管２００内に挿通する。支持部４０は、圧入部分４２側を下方に向け、開口端２１１ａから配管２００内に挿通する。この際、筒状の支持部４０に支持機構２４を挿通する。そして、支持部４０は、圧入部分４２を配管２００の内周面２２４に圧入させながら、本体部分４１が載置部２２０に載置されるまで、配管２００内に挿通する。換言すれば、支持部４０は、本体部分４１が載置部２２０に当接するまで、配管２００内に挿通する。
【００６６】
支持部４０を配管２００内に挿通した後、前述のように、側方開口部３２ａから筒部３２内に挿入することにより、支持機構２４をアタッチメント部材２６の保持部３０に保持させる。この後、保持部３０の各脚部３４の係合爪３４ａを、支持部４０の本体部分４１の各係合溝４１ａに係合させることにより、支持部４０に保持部３０を支持させる。これにより、支持機構２４が、配管２００内の所定の位置に取り付けられる。
【００６７】
支持機構２４を配管２００に取り付けた後、開口端２１１ａと排水口部１０２との位置を合わせて、配管２００の上に浴槽１００を設置する。この場合、支持機構２４は、排水口１０２ａを介して上方に露出された状態となる。
【００６８】
浴槽１００を設置した後、排水口部材２２を上方から排水口１０２ａ及び配管２００に挿通する。そして、配管２００の雌ねじ部２１４に排水口部材２２の雄ねじ部２２ｃを螺合させ、フランジ部２２ｂと配管２００との間で浴槽１００を挟み込むことにより、排水口部材２２を介して浴槽１００と配管２００とを接続する。
【００６９】
この後、支持機構２４の支持軸２４ｂの上端に、栓蓋２０を取り付ける。以上により、排水栓装置１０の排水栓部１２の取り付けが完了する。なお、操作部１４は、排水栓部１２の取り付けの前に、予め浴槽１００のリム面１０４に取り付けておいてもよいし、排水栓部１２の取り付けを行った後に、浴槽１００のリム面１０４に取り付けてもよい。
【００７０】
上記の排水栓装置１０の取り付けに際して、排水口部材２２の締め込みが不十分な状態で、施工が終えられてしまう場合がある。このような場合に、支持機構２４及びアタッチメント部材２６が上方に移動してしまうと、栓蓋２０と排水口部１０２との間に隙間が空き、栓蓋２０の密着性の低下を招いてしまう。
【００７１】
これに対して、本実施形態に係る排水栓装置１０では、支持部４０が、配管２００の内周面２２４に圧入されるため、排水口部材２２の締め込みが不十分な状態で施工が完了してしまったとしても、支持部４０が上下へずれることを抑制することができる。これにより、支持機構２４を保持するアタッチメント部材２６が上下へずれてしまうことを抑制でき、栓蓋２０が排水口部１０２を閉塞しきれなくなってしまうことを抑制することができる。従って、施工ミスが生じた場合にも、浴槽１００に対する栓蓋２０の良好な密着性を得ることができる。また、アタッチメント部材２６を取り付ける際には、支持部４０を圧入させるだけでよい。例えば、支持部を配管に対して螺合させる構成や支持部に設けられた係合爪を配管に係合させる構成などに比べて、螺合のための回転の操作や係合のための位置合わせなどを行う手間が無く、アタッチメント部材２６の取り付け作業性を向上させることもできる。
【００７２】
また、排水栓装置１０では、圧入部分４２のみを圧入させればよいため、本体部分４１及び圧入部分４２の全体を圧入させる場合に比べて、圧入させる際に必要となる力を低減させることができる。また、支持部４０を上方から配管２００内に挿入する際に、圧入部分４２が載置部２２０よりも上方において圧入されることがないため、支持部４０を配管２００内において下方にスムーズに移動させることができる。従って、アタッチメント部材２６の取り付け作業性をより向上させることができる。
【００７３】
また、排水栓装置１０では、圧入部分４２の下端面４３ｂ、４４ｂが内方に向かって下降傾斜しているため、載置部２２０より下方の内周面２２４に圧入部分４２を押し込んで圧入させる際に、圧入部分４２の下端面４３ｂ、４４ｂと載置部２２０の内方コーナー部との接触により、圧入部分４２を内方へ変形させ易くすることができる。従って、圧入部分４２をより圧入させ易くすることができ、アタッチメント部材２６の取り付け作業性をより向上させることができる。
【００７４】
また、排水栓装置１０では、当接部４３の側面４３ａのみが配管２００の内周面２２４に当接するため、配管２００の内周面２２４との接触面積を低減させることができ、圧入する際に必要となる力を低減させることができる。また、当接部４３の側面４３ａが配管２００の内周面２２４に押圧されている場合であっても、当接部４３が補強部４４によって補強されているため、過度の変形を抑制し、より確実に圧入状態を維持することができる。従って、アタッチメント部材２６の取り付け作業性をより向上させつつ、圧入状態を維持させ易くすることができる。
【００７５】
上記実施形態では、支持部４０の圧入部分４２のうち、当接部４３の側面４３ａのみを配管２００の内周面２２４に当接させている。これに限ることなく、例えば、圧入部分４２を円筒状に形成し、圧入部分４２の円筒面状の側面全体を、配管２００の内周面２２４に当接させてもよい。
【００７６】
上記実施形態では、支持部４０の圧入部分４２のみを、配管２００の内周面２２４に圧入させているが、これに限ることなく、支持部４０の側面全体を配管２００の内周面に圧入させてもよい。例えば、配管２００の第１収納空間２２１を形成する内周面に、本体部分４１の側面を圧入させてもよい。
【００７７】
上記実施形態では、アタッチメント部材２６の保持部３０及び支持部４０をそれぞれ別体に形成し、係合爪３４ａと係合溝４１ａとの係合により、保持部３０を支持部４０に支持させている。これに限ることなく、保持部３０及び支持部４０は、一体に形成してもよい。アタッチメント部材２６は、保持部３０と支持部４０とを有する１つの部材でもよい。但し、上記のように保持部３０と支持部４０とを別に形成することにより、例えば、保持部３０に対して支持機構２４を取り付け易くすることができる。例えば、支持機構２４及びアタッチメント部材２６の取り付け作業性を向上させることができる。
【００７８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水栓装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７９】
１０ 排水栓装置、  １２ 排水栓部、  １４ 操作部、  １６ レリースワイヤ、  １８ ホース、  ２０ 栓蓋、  ２２ 排水口部材、  ２４ 支持機構、  ２６ アタッチメント部材、  ３０ 保持部、  ３２ 筒部、  ３４ 脚部、  ４０ 支持部、  ４１ 本体部分、  ４２ 圧入部分、  ４３ 当接部、  ４４ 補強部、  １００ 浴槽（槽体）、  １０２ 排水口部、  １０２ａ 排水口、  １０４ リム面、  １０６ 貫通孔、  ２００ 配管、  ２０２ 貫通孔、  ２１１ 第１管部、  ２１２ 第２管部、  ２１４ 雌ねじ部、  ２２０ 載置部、  ２２１ 第１収納空間、  ２２２ 第２収納空間、  ２２４ 内周面
【図１】
2017172151.tif 000003
【図２】
2017172151.tif 000004
【図３】
2017172151.tif 000005
【図４】
2017172151.tif 000006
【図５】
2017172151.tif 000007
【図６】
2017172151.tif 000008
【図７】
2017172151.tif 000009
【図８】
2017172151.tif 000010